(57)【要約】【課題】  見栄え良くかつ缶見本を可能な限り実物に近い状態に見せるようにする。【解決手段】  本体フレーム１と商品表示板２とからなり、本体フレームは、その上部及び下部から前方へ張り出されている平面が半円形状の上保持部３及び下保持部４と、上保持部と下保持部の各後端部両側間を連結し互いに対向して配置してある対の側枠５とを備え、商品表示板２は半円筒状に屈曲可能であり、上保持部３、下保持部４及び両側枠５とは商品表示板２を本体フレーム１内に差込可能の開口部１ａが形成され、上保持部３及び下保持部４には外周縁に沿って対向側に上被覆部３ａ及び下被覆部４ａを立ち上げ、両側枠５には商品表示板２の後端面を受止めるためのストッパ６を設け、各側枠５は、上被覆部３ａ及び下被覆部４ａの後端内側で上下の各被覆部の内面３ａ，４ａ１に連なって配置され、商品表示板２の後端部を側枠の対向方向に案内可能である。【選択図】        図１
2005182429.tif 000002
【特許請求の範囲】
【請求項１】
本体フレームと、この本体フレームに取付けてあって半円筒状に屈曲可能であると共に、透光性を備えている商品表示板とからなり、
上記本体フレームは、その上部及び下部のそれぞれから前方へ張り出されていると共に、平面が半円形状の上保持部及び下保持部と、上記上保持部と下保持部の各後部両側間を連結し互いに対向して配置してある対の側枠とを備えており、
上記上保持部、下保持部及び両側枠は上記商品表示板を上記本体フレーム内に差込可能の開口部を形成しており、
上記上保持部及び下保持部にはそれぞれの外周縁に沿って対向側に上被覆部及び下被覆部を立ち上げてあり、
上記各側枠は、その後端側が上記開口部に向けて延びかつ上記商品表示板の後端部を受止め可能である受け部を有しており、上記商品表示板の後端部を上記受け部まで案内可能のものであり、
上記各側枠の上下両端部における前端部が上記上被覆部及び下被覆部の後端内側に位置しかつ上記上被覆部及び下被覆部の各内面に連なっている
ことを特徴とする自動販売機用の缶見本。
【請求項２】
各側枠の受け部は、商品表示板の後端部を上記商品表示板の内面側に湾曲可能に屈曲されていることを特徴とする請求項１記載の自動販売機用の缶見本。
【請求項３】
各側枠の受け部には、商品表示板の後端面を受止めるためのストッパを設けてあることを特徴とする請求項１又は請求項２記載の自動販売機用の缶見本。
【請求項４】
各側枠には、商品表示板用の戻り止め片を対向的に配置してあることを特徴とする請求項１、請求項２又は請求項３記載の自動販売機用の缶見本。
【請求項５】
商品表示板用の戻り止め片は、ストッパに対して開口部側に隣接して設けられていることを特徴とする請求項４記載の自動販売機用の缶見本。
【請求項６】
本体フレームと、この本体フレームに取付けてあって半円筒状に屈曲可能であると共に、透光性を備えている商品表示板とからなり、
上記本体フレームは、その上部及び下部のそれぞれから前方へ張り出されていると共に、平面が半円形状の上保持部及び下保持部と、上記上保持部と下保持部の各後部両側間を連結し互いに対向して配置してある対の側枠とを備えており、
上記上保持部、下保持部及び両側枠は上記商品表示板を上記本体フレーム内に差込可能の開口部を形成しており、
上記上保持部及び下保持部にはそれぞれの外周縁に沿って対向側に上被覆部及び下被覆部を立ち上げてあり、
上記各側枠は、その後端側が上記開口部に向けて延びかつ上記商品表示板の後端部を受止め可能である受け部を有しており、上記商品表示板の後端部を上記受け部に沿って案内可能のものであり、
上記各側枠の上下両端部における前端部が上記上被覆部及び下被覆部の後端内側に位置しかつ上記上被覆部及び下被覆部の各内面に連なっており、
上記各側枠の受け部には、上記商品表示板の後端面を受止めるためのストッパを設けてある
ことを特徴とする自動販売機用の缶見本。
【請求項７】
各側枠の受け部は、商品表示板の後端部を上記商品表示板の内面側に湾曲可能に屈曲されていることを特徴とする請求項６記載の自動販売機用の缶見本。
【発明の詳細な説明】
【技術分野】
【０００１】
本発明は自動販売機用の缶見本に関するものである。
【背景技術】
【０００２】
自動販売機用の飲料の缶見本には水平断面が円形状の丸型のものと、水平断面が半円形状のいわゆるハーフ型のものとが知られている。丸型缶見本は実物に近く本来の見本としての機能が十分発揮される長所があるものの、薄い（奥行きの短い）自動販売機に対する適用性に欠ける短所がある。ハーフ型缶見本は材料が半減するから省資源に寄与すると共に、水平断面の径が短縮されるから薄い自動販売機に十分適用することができる長所がある。
従来のハーフ型缶見本は、例えば第３０４９６７６号登録実用新案公報、第３０５１５５０号登録実用新案公報及び第３０５２５０３号登録実用新案公報のそれぞれに開示されている。
従来のハーフ型缶見本に関して、第３０５２５０３号登録実用新案公報に記載のダミー容器を例に挙げて説明する。
このダミー容器は、上記公報の図１及び図２に示すように、取付け穴を有する正面四角形状の取付けフレームと、商品名などが表示されている薄い表示板とからなる。ダミー容器の組み立ては、表示板をＵ字状に湾曲した状態で取付けフレームの背面側から取付け穴を通じて差し入れて前方に押し入れ、取付けフレームの上下に設けてある平面半円形状の上保持部と下保持部で表示板を支持し、表示板の上下辺部を上下の保持部の位置保持部で支持し、背部の両側辺部を取付けフレームに設けてある側保持部で支持する。
【特許文献１】第３０４９６７６号登録実用新案公報
【特許文献２】第３０５１５５０号登録実用新案公報
【特許文献３】第３０５２５０３号登録実用新案公報
【発明の開示】
【発明が解決しようとする課題】
【０００３】
上述した従来のハーフ型缶見本であるダミー容器によると、上記公報の図１に示す陳列状態において、表示板の両側に取付けフレームの側枠部分が露出されるために、見栄えが良くなく、そしてダミー容器を実物に可能な限り近い状態で陳列させようとする要求を満たすにはさらなる改善が必要である。
またこの種の解決すべき課題は、前記第３０４９６７６号登録実用新案公報に記載のダミー体及び第３０５１５５０号登録実用新案公報に記載の商品見本の展示構造についても残されている。すなわち、第３０４９６７６号登録実用新案公報に記載のダミー体において、公報の図４及び図５に示すように商品表示ラベルの両側にダミー体枠体の側枠部分が露出されている。また第３０５１５５０号登録実用新案公報に記載の商品見本の展示構造においても、公報の図３に示すように商品見本の両側に見本保持体の側枠部分が露出されている。これらの公報に開示されているダミー体及び商品見本の展示構造に関して、ダミー体枠体と商品表示ラベルの組み合わせ、見本保持体と商品見本との組み合わせのいずれも一体感がなく、実物に近い状態で陳列しようとする要求を満たしていない。
本発明の目的は、見栄え良くかつ缶見本を可能な限り実物に近い状態に見せるようにすることにある。
【課題を解決するための手段】
【０００４】
本発明の第１の特徴は、本体フレームと、この本体フレームに取付けてあって半円筒状に屈曲可能であると共に、透光性を備えている商品表示板とからなることにある。上記本体フレームは、その上部及び下部のそれぞれから前方へ張り出されていると共に、平面が半円形状の上保持部及び下保持部と、上記上保持部と下保持部の各後部両側間を連結し互いに対向して配置してある対の側枠とを備えている。上記上保持部、下保持部及び両側枠とは上記商品表示板を上記本体フレーム内に差込可能の開口部を形成している。上記上保持部及び下保持部にはそれぞれの外周縁に沿って対向側に上被覆部及び下被覆部を立ち上げてある。上記各側枠は、その後端側が上記開口部に向けて延びかつ上記商品表示板の後端部を受止め可能である受け部を有しており、上記商品表示板の後端部を上記受け部まで案内可能のものである。上記各側枠の上下両端部における前端部が上記上被覆部及び下被覆部の後端内側に位置しかつ上記上被覆部及び下被覆部の各内面に連なっている。
本発明の第２の特徴は、上記第１の特徴を備え、各側枠の受け部は商品表示板の後端部を上記商品表示板の内面側に湾曲可能に屈曲されていることにある。
本発明の第３の特徴は、上記第１又は第２の特徴を備え、各側枠の受け部には商品表示板の後端面を受止めるためのストッパを設けてあることにある。
本発明の第４の特徴は、上記第１、第２又は第３の特徴を備え、各側枠には、商品表示板用の戻り止め片を対向的に配置してあることにある。
本発明の第５の特徴は、上記第４の特徴を備え、商品表示板用の戻り止め片は、ストッパに対して開口部側に隣接して設けられていることにある。
本発明の第６の特徴は、本体フレームと、この本体フレームに取付けてあって半円筒状に屈曲可能であると共に、透光性を備えている商品表示板とからなり、上記本体フレームは、その上部及び下部のそれぞれから前方へ張り出されていると共に、平面が半円形状の上保持部及び下保持部と、上記上保持部と下保持部の各後部両側間を連結し互いに対向して配置してある対の側枠とを備えており、上記上保持部、下保持部及び両側枠は上記商品表示板を上記本体フレーム内に差込可能の開口部を形成しており、上記上保持部及び下保持部にはそれぞれの外周縁に沿って対向側に上被覆部及び下被覆部を立ち上げてあり、上記各側枠は、その後端側が上記開口部に向けて延びかつ上記商品表示板の後端部を受止め可能である受け部を有しており、上記商品表示板の後端部を上記受け部に沿って案内可能のものであり、上記各側枠の上下両端部における前端部が上記上被覆部及び下被覆部の後端内側に位置しかつ上記上被覆部及び下被覆部の各内面に連なっており、上記各側枠の受け部には上記商品表示板の後端面を受止めるためのストッパを設けてあることにある。
本発明の第７の特徴は、上記第６の特徴を備え、各側枠の受け部は、商品表示板の後端部を上記商品表示板の内面側に湾曲可能に屈曲されていることにある。
【発明の効果】
【０００５】
本発明によれば、使用状態にある缶見本は正面からその両側に商品表示板を支える側枠が商品表示板によって覆われるので、従来例に比較して商品表示板と本体フレームとの一体感が図られ、見栄えが良くなり、缶見本を可能な限り実物に近い状態に見せることができる。
【発明を実施するための最良の形態】
【０００６】
図１乃至図４において、缶見本は、本体フレーム１と、この本体フレームにほぼ半円筒状に湾曲されて保持されている商品表示板２とからなる。
本体フレーム１は、図７乃至図１１に示すように、その上部及び下部のそれぞれから前方へ張り出されていると共に、平面が半円形状の上保持部３及び下保持部４と、上保持部と下保持部間を連結している対の側枠５とからなる。上保持部３、下保持部４及び側枠５に囲まれた本体フレーム１の空間が商品表示板２の差込み用の開口部１ａである。
【０００７】
上保持部３及び下保持部４は、図７乃至図１１に示すようにその外周縁に沿って上被覆部３ａ及び下被覆部４ａを設けてある。上被覆部３ａは図８下方に向けて、下保持部４は上方に向けて、換言すれば上被覆部及び下被覆部は上保持部３及び下保持部４のそれぞれの外周縁に沿って壁のように互いに対向する側に向けて立ち上げられ、これらの被覆部の両端側は側枠５の上下両端部に連なっている。
上被覆部３ａ及び下被覆部４ａのそれぞれの大きさは同じであっても良いが、図１及び図４に示す例では下被覆部が上被覆部より大きく形成されている。
下保持部４の下部には、図１及び図２に示すように取付け部８を設けてある。取付け部８は係合などの公知の取付け手段によって陳列板９の取付け穴（図示せず。）に挿入され固定される。取付け部８には光導入孔８ａが貫通されている。光導入孔８ａは、陳列板９の下方に設置される光源（図示せず。）からの光を本体フレーム１へ導く役割を持っている。
【０００８】
側枠５は図７乃至図１１に示すように柱状に形成されており、上保持部３及び下保持部４のそれぞれの後端両側部間を連結している。側枠５の上下端部はその前端部が上被覆部３ａ及び下被覆部４ａの後端内側に連なっており、後端部は開口部１ａに向けて延びておりかつ商品表示板２の後端部２ａを受止めるための受け部５ａとなっている（図３、図４及び図５）。各側枠５はその内面５ｂが上被覆部３ａ及び下被覆部４ａのそれぞれの内面３ａ１，４ａ１と連続されており、商品表示板２の後端部２ａを側枠の対向側に案内可能である。各側枠５の受け部５ａは商品表示板２の後端部２ａを商品表示板の内面側に湾曲するように屈曲されている。各側枠５の水平断面形状は、図９に示す例では「く」の字状に屈曲されており、両者の水平断面形状を組み合わせると全体で開口部１ａを挟んで「ハ」の字を形成している。各側枠５の受け部５ａが図３及び図５に示すように開口部１ａに向けて屈曲されているために、受け部に案内される商品表示板２の後端部２ａは弾性力に抗して内方に湾曲しつつ各側枠５の内面５ｂに密着されて受け部に位置保持される。そして商品表示板２の後端部２ａが外側に向けて凸状に湾曲され（膨らみ）、商品表示板は図３に示すようにほぼ馬蹄形状になり全体に丸いイメージが付与される。
【０００９】
対の側枠５には上保持部３と下保持部４との間の中間位置にリブ状のストッパ６を対向的に配置してある。ストッパ６は商品表示板２の後端面を受止めるための手段である。ストッパ６は、側枠５の受け部５ａでの商品表示板２の後端部２ａの受止め機能を補強するためのものである。
側枠５にはストッパ６に対して開口部１ａ側で隣接して商品表示板用の戻り止め片７を形成してある。戻り止め片７は、缶見本の組立て時に商品表示板２を湾曲させながら本体フレーム１内に差し入れた際に、押圧力解除に伴うその反発力で開口部１ａから後方へ抜け出ることを防止するためのものである。
【００１０】
商品表示板２は、透光性を備え、半円筒状に屈曲できる程度の弾性変形可能なプラスチック製薄板であって、しかも図３に示すようにほぼ半円筒状に折り曲げられて使用されている状態で、その保形性を備える程の可撓性を有している。商品表示板２は使用前では四角形となっており、前面（表面）に商品名などの情報が表示されている。
【００１１】
本体フレーム１と商品表示板２との関係について説明する。
商品表示板２は開口部１ａを通じて本体フレーム１の内外に差込みかつ取出し可能である。また商品表示板２は、図１及び図２に示すように、本体フレーム１内では、上下の両端辺が上保持部３及び下保持部４により位置保持され、前方（図３下方）に湾曲された半円筒形の状態に納められており、後端部２ａが側枠５によって内方に屈曲されながら案内されて、受け部５ａで受止められ、さらに後端面がストッパ６に当接されて受止められ、このような二重の受止めによってより一層安定した取付け状態が維持されている。缶見本を正面から見た場合、図１に示すように商品表示板２は側枠５を覆うことになるから側枠５が缶見本の正面には露出されず、また図３に示すように後端部２ａが外側に膨らんだ状態で納められているので、全体として丸みを帯びた缶見本を実現することができる。
【００１２】
次に自動販売機用の缶見本の組立てについて説明する。
商品表示板２を本体フレーム１の後側において、前方へ突出したＵ字状に湾曲させた状態で開口部１ａから本体フレーム内に差し入れ、湾曲状態を徐々に開放しながら商品表示板の上下の各端辺を上保持部３及び下保持部４内に順次移動させ、上被覆部３ａ及び下被覆部４ａの内面に接触した段階で移動を停止し、商品表示板の両後端辺を戻し止め片７より前方に押し入れ、位置調整と形を整える。この結果、商品表示板２はその上下の各端辺が上保持部３及び下保持部４に保持され、後端部２ａの両端辺は側枠５の内面に密着し受け部５ａで保持され、ストッパ６に当接されるから確実な位置保持がされ、図１及び図２に示すような自動販売機用の缶見本が組立てられる。
【００１３】
自動販売機用の缶見本を自動販売機の陳列部へ取付けるには、図１及び図２の鎖線に示す陳列板９の取付け穴（図示せず。）に下保持部４の取付け部８を挿入し、取付け部８の掛止め部（図示せず。）と、取付け穴の内周縁の係合部（図示せず。）とを利用して、缶見本を陳列板上に起立させるものである。起立状態にある缶見本は、陳列板９の下方の光源からの光が光導入孔８ａを通じて導き入れられ、商品表示板２に投射される。
【００１４】
図１に示す缶見本は、前記従来例と比較して次のような効果がある。
第１は、商品表示板２が本体フレーム１に取付けられている図１に示す缶見本の正面の状態において、上保持部３及び下保持部４を除いて本体フレームの側枠５が露出されない。側枠５が正面から見えない分だけ、本体フレーム１と商品表示板２との一体感が増して、陳列状態における缶見本の外観が実物に近い印象を与えると共に、見栄えが良くなる。
もっとも、缶見本の組立て時に、商品表示板２が図２乃至図４に示すように、上保持部３の上被覆部３ａ及び下保持部４の下被覆部４ａの各内面３ａ１，４ａ１に密着されていれば側枠５全体が露出されないが、密着されず幾分隙間がある状態で組み立てられた場合には、その隙間分だけ側枠５が露出されることになる。しかしながら、この場合でも従来例に比較して商品表示板２が側枠５の主要部分を覆うことができるから、見栄えなどの点で有利である。
使用状態にある缶見本は正面からその両側に商品表示板２を支える側枠５の全体少なくとも主要部が商品表示板によって覆われるので、従来例に比較して商品表示板と本体フレームとの一体感が図られ、見栄えが良くなるなどの点で優れている。
第２は、商品表示板２はその後端部２ａが側枠５によって内方に屈曲されながら案内され、図３に示すように後端部２ａが外側に膨らんだ状態で納められるので、全体として丸みを帯びた缶見本が実現され、本物に近い丸型缶見本のイメージを消費者に強く与えることができ、商品価値が上がる。
第３は、ストッパ６は図３に示すように商品表示板２の後端部２ａを受止めることができるので、安定した商品表示板の取付け状態が維持され強化される。
第４は、本体フレーム１は側枠５に戻り止め片７を設けているので、商品表示板２の後部２ａの両側を内側に押さえて湾曲した状態で商品表示板を開口部１ａから本体フレーム１内に差し入れた後、何らかの理由で押圧状態が解除され後方へ移動する力が加わっても、商品表示板が開口部から本体フレームの後方に外れることを抑制することができる。
【００１５】
ストッパ６は図１に示すように上保持部３及び下保持部４の中間位置に配置することにより、複数箇所にストッパを設けることなく有効な規制効果が得られるが、ストッパを設ける位置及びその数は図示する例に限定されない。
図１及び図２に示す本体フレーム１の側枠５において、受け部５ａで商品表示板２の後端面を受止めるようにし、二次的にストッパ６に商品表示板の後端面を当接させて商品表示板の移動を確実に規制できるようにしているが、商品表示板の弾性率や厚み、受け部の長さや屈曲形状など条件を変更させることによって側枠５の受け部によらずにストッパのみで商品表示板２の後端部２ａを受止めて位置保持するようにしても良い。
【図面の簡単な説明】
【００１６】
【図１】本発明の第一実施の形態に係る自動販売機用の缶見本の一部切欠正面図である。
【図２】図１のＩＩ−ＩＩ線断面図である。
【図３】図１のＩＩＩ−ＩＩＩ線拡大断面図である。
【図４】図１の拡大平面図である。
【図５】図１のＶ−Ｖ線拡大断面図である。
【図６】図５に示す商品表示板の後端部と側枠、ストッパ及び戻り止め片との関係を拡大して示す正面図である。
【図７】本発明の第一実施の形態に係る自動販売機用の缶見本における本体フレームを示す正面図である。
【図８】図７のＶＩＩＩ−ＶＩＩＩ線断面図である。
【図９】図７のＩＸ−ＩＸ線拡大断面図である。
【図１０】図７のＸ−Ｘ線拡大断面図である。
【図１１】図７のＸＩ−ＸＩ線拡大断面図である。
【符号の説明】
【００１７】
１                              本体フレーム
２                              商品表示板
２ａ                            商品表示板の後端部
３                              上保持部
３ａ                            上被覆部
３ａ１                          上被覆部の内面
４                              下保持部
４ａ                            下被覆部
４ａ１                          下被覆部の内面
５                              側枠
５ａ                            受け部
６                              ストッパ
７                              戻り止め片
【図１】
2005182429.tif 000003
【図２】
2005182429.tif 000004
【図３】
2005182429.tif 000005
【図４】
2005182429.tif 000006
【図５】
2005182429.tif 000007
【図６】
2005182429.tif 000008
【図７】
2005182429.tif 000009
【図８】
2005182429.tif 000010
【図９】
2005182429.tif 000011
【図１０】
2005182429.tif 000012
【図１１】
2005182429.tif 000013